(57)【要約】【課題】１回の撮影で得られた眼底画像を色調変換処理する際に、診断に好適な色調の眼底画像を取得可能な仕組みを提供する。【解決手段】被検眼Ｅの眼底Ｅｒを撮影して眼底画像を取得する画像記録用撮像素子１６を備える。さらに、複数の色調変換処理パラメータセットを格納する格納部と、画像記録用撮像素子１６で被検眼Ｅの眼底Ｅｒを１回撮影して得られた眼底画像に対して、格納部に格納されている複数の色調変換処理パラメータセットにおける各色調変換処理パラメータセットを用いた色調変換処理を行って、当該複数の色調変換処理パラメータセットに対応する複数の色調変換済眼底画像を生成する色調変換処理部とを有する画像処理部３１を備える。【選択図】図１
2016214370.tif 000002
【特許請求の範囲】
【請求項１】
被検眼の眼底を撮影する眼底カメラであって、
複数の色調変換処理パラメータセットを格納する格納手段と、
前記被検眼の眼底を撮影して眼底画像を取得する撮像手段と、
前記撮像手段で前記被検眼の眼底を１回撮影して得られた眼底画像に対して、前記複数の色調変換処理パラメータセットにおける各色調変換処理パラメータセットを用いた色調変換処理を行って、前記複数の色調変換処理パラメータセットに対応する複数の色調変換済眼底画像を生成する色調変換処理手段と
を有することを特徴とする眼底カメラ。
【請求項２】
前記複数の色調変換済眼底画像を表示部に一覧表示させる表示制御手段を更に有することを特徴とする請求項１に記載の眼底カメラ。
【請求項３】
前記格納手段には、前記複数の色調変換処理パラメータセットとしてＮ個（Ｎは３以上の正数）の色調変換処理パラメータセットが格納されており、
前記色調変換処理手段は、前記複数の色調変換済眼底画像として、前記Ｎ個の色調変換処理パラメータセットに対応するＮ個の色調変換済眼底画像を生成し、
前記表示制御手段は、前記複数の色調変換済眼底画像として前記Ｎ個の色調変換済眼底画像を前記表示部に一覧表示させることを特徴とする請求項２に記載の眼底カメラ。
【請求項４】
前記表示部に一覧表示された前記複数の色調変換済眼底画像の中から一部の色調変換済眼底画像を選択する選択手段を更に有し、
前記表示制御手段は、前記選択手段により前記一部の色調変換済眼底画像が選択された場合、前記表示部に一覧表示した前記複数の色調変換済眼底画像を並び替えて、前記一部の色調変換済眼底画像を一覧表示の先頭に表示する制御を行うことを特徴とする請求項２または３に記載の眼底カメラ。
【請求項５】
前記複数の色調変換済眼底画像を記憶する記憶手段と、
前記表示部に一覧表示された前記複数の色調変換済眼底画像の中から一部の色調変換済眼底画像を選択する選択手段と、
前記記憶手段から、前記選択手段により選択された前記一部の色調変換済眼底画像を除く他の色調変換済眼底画像を削除する削除手段と
を更に有することを特徴とする請求項２乃至４のいずれか１項に記載の眼底カメラ。
【請求項６】
前記複数の色調変換済眼底画像における各色調変換済眼底画像を、対応する前記複数の色調変換処理パラメータセットにおける各色調変換処理パラメータセットと関連付けて記憶する記憶手段と、
被検眼を特定する特定手段と
を更に有し、
前記特定手段で特定された被検眼が、前記撮像手段において前回撮影された被検眼と同じである場合、前記色調変換処理手段は、さらに、前記撮像手段において今回撮影された当該被検眼に係る今回眼底画像に対して、前記複数の色調変換処理パラメータセットを用いた色調変換処理を行って、前記複数の色調変換処理パラメータセットに対応する複数の今回色調変換済眼底画像を生成し、前記表示制御手段は、さらに、前記複数の今回色調変換済眼底画像を前記表示部に一覧表示する際に、前記前回撮影において前記選択手段により選択された前記一部の色調変換済眼底画像に関連付けられて前記記憶手段に記憶されている一部の色調変換処理パラメータセットを用いて色調変換処理された一部の今回色調変換済眼底画像を当該一覧表示の先頭に表示する制御を行うことを特徴とする請求項４または５に記載の眼底カメラ。
【請求項７】
前記複数の色調変換済眼底画像における各色調変換済眼底画像を、対応する前記複数の色調変換処理パラメータセットにおける各色調変換処理パラメータセットと関連付けて記憶する記憶手段と、
被検眼を特定する特定手段と
を更に有し、
前記特定手段で特定された被検眼が、前記撮像手段において前回撮影された被検眼と同じである場合、前記色調変換処理手段は、さらに、前記撮像手段において今回撮影された当該被検眼に係る今回眼底画像に対して、前記前回撮影において前記選択手段により選択された前記一部の色調変換済眼底画像に関連付けられて前記記憶手段に記憶されている一部の色調変換処理パラメータセットを用いた色調変換処理を行って、前記一部の色調変換処理パラメータセットに対応する一部の今回色調変換済眼底画像を生成し、前記表示制御手段は、さらに、前記一部の今回色調変換済眼底画像を前記表示部に一覧表示させることを特徴とする請求項４または５に記載の眼底カメラ。
【請求項８】
複数の色調変換処理パラメータセットを格納する格納手段と、被検眼の眼底を撮影して眼底画像を取得する撮像手段とを備える眼底カメラの制御方法であって、
前記撮像手段で前記被検眼の眼底を１回撮影して得られた眼底画像に対して、前記複数の色調変換処理パラメータセットにおける各色調変換処理パラメータセットを用いた色調変換処理を行って、前記複数の色調変換処理パラメータセットに対応する複数の色調変換済眼底画像を生成する色調変換処理ステップを有することを特徴とする眼底カメラの制御方法。
【請求項９】
前記複数の色調変換済眼底画像を表示部に一覧表示させる表示制御ステップを更に有することを特徴とする請求項８に記載の眼底カメラの制御方法。
【請求項１０】
前記格納手段には、前記複数の色調変換処理パラメータセットとしてＮ個（Ｎは３以上の正数）の色調変換処理パラメータセットが格納されており、
前記色調変換処理ステップは、前記複数の色調変換済眼底画像として、前記Ｎ個の色調変換処理パラメータセットに対応するＮ個の色調変換済眼底画像を生成し、
前記表示制御ステップは、前記複数の色調変換済眼底画像として前記Ｎ個の色調変換済眼底画像を前記表示部に一覧表示させることを特徴とする請求項９に記載の眼底カメラの制御方法。
【請求項１１】
前記表示部に一覧表示された前記複数の色調変換済眼底画像の中から一部の色調変換済眼底画像を選択する選択ステップを更に有し、
前記表示制御ステップは、前記選択ステップにより前記一部の色調変換済眼底画像が選択された場合、前記表示部に一覧表示した前記複数の色調変換済眼底画像を並び替えて、前記一部の色調変換済眼底画像を一覧表示の先頭に表示する制御を行うことを特徴とする請求項９または１０に記載の眼底カメラの制御方法。
【請求項１２】
前記眼底カメラは、前記複数の色調変換済眼底画像を記憶する記憶手段を更に備え、
前記表示部に一覧表示された前記複数の色調変換済眼底画像の中から一部の色調変換済眼底画像を選択する選択ステップと、
前記記憶手段から、前記選択ステップにより選択された前記一部の色調変換済眼底画像を除く他の色調変換済眼底画像を削除する削除ステップと
を更に有することを特徴とする請求項９乃至１１のいずれか１項に記載の眼底カメラの制御方法。
【請求項１３】
前記眼底カメラは、前記複数の色調変換済眼底画像における各色調変換済眼底画像を、対応する前記複数の色調変換処理パラメータセットにおける各色調変換処理パラメータセットと関連付けて記憶する記憶手段を更に備え、
被検眼を特定する特定ステップを更に有し、
前記特定ステップで特定された被検眼が、前記撮像手段において前回撮影された被検眼と同じである場合、前記色調変換処理ステップは、さらに、前記撮像手段において今回撮影された当該被検眼に係る今回眼底画像に対して、前記複数の色調変換処理パラメータセットを用いた色調変換処理を行って、前記複数の色調変換処理パラメータセットに対応する複数の今回色調変換済眼底画像を生成し、前記表示制御ステップは、さらに、前記複数の今回色調変換済眼底画像を前記表示部に一覧表示する際に、前記前回撮影において前記選択ステップにより選択された前記一部の色調変換済眼底画像に関連付けられて前記記憶手段に記憶されている一部の色調変換処理パラメータセットを用いて色調変換処理された一部の今回色調変換済眼底画像を当該一覧表示の先頭に表示する制御を行うことを特徴とする請求項１１または１２に記載の眼底カメラの制御方法。
【請求項１４】
前記眼底カメラは、前記複数の色調変換済眼底画像における各色調変換済眼底画像を、対応する前記複数の色調変換処理パラメータセットにおける各色調変換処理パラメータセットと関連付けて記憶する記憶手段を更に備え、
被検眼を特定する特定ステップを更に有し、
前記特定ステップで特定された被検眼が、前記撮像手段において前回撮影された被検眼と同じである場合、前記色調変換処理ステップは、さらに、前記撮像手段において今回撮影された当該被検眼に係る今回眼底画像に対して、前記前回撮影において前記選択ステップにより選択された前記一部の色調変換済眼底画像に関連付けられて前記記憶手段に記憶されている一部の色調変換処理パラメータセットを用いた色調変換処理を行って、前記一部の色調変換処理パラメータセットに対応する一部の今回色調変換済眼底画像を生成し、前記表示制御ステップは、さらに、前記一部の今回色調変換済眼底画像を前記表示部に一覧表示させることを特徴とする請求項１１または１２に記載の眼底カメラの制御方法。
【請求項１５】
請求項８乃至１４のいずれか１項に記載の眼底カメラの制御方法におけるステップをコンピュータに実行させるためのプログラム。
【発明の詳細な説明】
【技術分野】
【０００１】
本発明は、被検眼の眼底を撮影する眼底カメラ及びその制御方法、並びに、当該制御方法をコンピュータに実行させるためのプログラムに関するものである。
【背景技術】
【０００２】
従来から、被検眼の眼底を撮影して眼底画像を取得し、取得した眼底画像の画像処理を行う眼底カメラが、特許文献１に開示されている。具体的に、特許文献１には、第１の色調変換処理、及び、当該第１の色調変換処理に対して赤波長の成分の比率を青波長及び緑波長のいずれかの成分よりも下げる第２の色調変換処理のうちのいずれかを選択し、当該選択した色調変換処理を眼底画像に対して行って、眼底画像の色調を変換する技術が記載されている。
【０００３】
より詳細に、特許文献１では、被検眼の眼底の生体組織における光の反射率及び吸収率の特性が被検眼のメラニン色素の含有量に依存していると考えて、メラニン色素の含有量を取得し、当該メラニン色素の含有量に応じて上述した第１の色調変換処理及び第２の色調変換処理のうちのいずれかを選択するようにしている。
【先行技術文献】
【特許文献】
【０００４】
【特許文献１】特開２０１３−４８８８９号公報
【発明の概要】
【発明が解決しようとする課題】
【０００５】
上述した特許文献１に記載の技術では、メラニン色素の含有量に応じて１つの色調変換処理を選択するようにしているが、メラニン色素の含有量に基づけば診断に好適な色調の眼底画像を得ることができるかどうかは定かでない。このため、特許文献１に記載の技術では、１つの色調変換処理の選択を誤れば、色調変換後の眼底画像が診断に好適な色調の眼底画像にならないという問題があった。そして、この場合、診断に好適な色調の眼底画像を得るためには、再撮影が必要になる。
【０００６】
本発明は、このような問題点に鑑みてなされたものであり、１回の撮影で得られた眼底画像を色調変換処理する際に、診断に好適な色調の眼底画像を取得可能な仕組みを提供することを目的とする。
【課題を解決するための手段】
【０００７】
本発明の眼底カメラは、被検眼の眼底を撮影する眼底カメラであって、複数の色調変換処理パラメータセットを格納する格納手段と、前記被検眼の眼底を撮影して眼底画像を取得する撮像手段と、前記撮像手段で前記被検眼の眼底を１回撮影して得られた眼底画像に対して、前記複数の色調変換処理パラメータセットにおける各色調変換処理パラメータセットを用いた色調変換処理を行って、前記複数の色調変換処理パラメータセットに対応する複数の色調変換済眼底画像を生成する色調変換処理手段とを有する。
また、本発明は、上述した眼底カメラの制御方法、並びに、当該制御方法をコンピュータに実行させるためのプログラムを含む。
【発明の効果】
【０００８】
本発明によれば、１回の撮影で得られた眼底画像を色調変換処理する際に、診断に好適な色調の眼底画像を取得することが可能となる。
【図面の簡単な説明】
【０００９】
【図１】本発明の第１の実施形態に係る眼底カメラの概略構成の一例を示す図である。
【図２】図１に示すフォーカス指標投影部を側面及び上面から見た図である。
【図３】図２（ａ）に示すフォーカス指標光束における被検眼の瞳上の位置を示す図である。
【図４】図２（ａ）に示すフォーカス指標光束が被検眼の眼底に達する様子と、図２（ａ）に示すフォーカス指標光束による被検眼の眼底上のフォーカス指標像の一例を示す図である。
【図５】本発明の第１の実施形態に係る眼底カメラの制御方法における処理手順の一例を示すフローチャートである。
【図６】図１に示す画像処理部の内部構成の一例を示す図である。
【図７】図１のモニタに一覧表示された複数の色調変換済眼底画像の一例を示す図である。
【図８】本発明の第２の実施形態に係る眼底カメラの制御方法における処理手順の一例を示すフローチャートである。
【図９】本発明の第２の実施形態に係る眼底カメラの制御方法における処理手順の一例を示すフローチャートである。
【発明を実施するための形態】
【００１０】
以下に、図面を参照しながら、本発明を実施するための形態（実施形態）について説明する。
【００１１】
（第１の実施形態）
まず、本発明の第１の実施形態について説明する。
【００１２】
図１は、本発明の第１の実施形態に係る眼底カメラ１００の概略構成の一例を示す図である。この本実施形態に係る眼底カメラ１００は、被検眼Ｅの眼底Ｅｒを撮影する、オートフォーカス機能を搭載した無散瞳型の眼底カメラである。
【００１３】
図１において、光軸Ｏ１上及び光軸Ｏ２上には照明光学系が構成されている。具体的に、光軸Ｏ１上には、ハロゲンランプ等の定常光を発する観察用光源１、コンデンサレンズ２、赤外光を透過し可視光を遮断するフィルタ３、ストロボ等の撮影用光源４、レンズ５、及び、ミラー６が配置されている。さらに、ミラー６の反射方向の光軸Ｏ２上には、リング状開口を有するリング絞り７、フォーカス指標投影部８、リレーレンズ９、中央部に開口を有する孔あきミラー１０が順次配置されている。
【００１４】
また、孔あきミラー１０の反射方向の光軸Ｏ３上には、被検眼Ｅに対向して対物レンズ１１が配置されている。さらに、孔あきミラー１０の孔部には、撮影絞り１２が設けられ、その後方にフォーカスレンズ１３、撮影レンズ１４、跳ね上げミラー１５、及び、画像記録用撮像素子１６が順次配置され、眼底撮影光学系が構成されている。
【００１５】
そして、跳ね上げミラー１５の反射方向の光軸Ｏ４上には、赤外光を反射し、可視光を透過するミラー１７が配置されている。さらに、ミラー１７の反射方向の光軸Ｏ５上には、フィールドレンズ１８、レンズ１９、及び、観察用撮像素子２０が順次配置されている。なお、画像記録用撮像素子１６と観察用撮像素子２０は、被検眼Ｅの眼底Ｅｒと光学的に共役位置に配置されている。
【００１６】
ここで、図１に示すフォーカス指標投影部８について説明する。
図２は、図１に示すフォーカス指標投影部８を側面及び上面から見た図である。具体的には、図２（ａ）にフォーカス指標投影部８の側面図を示し、図２（ｂ）にフォーカス指標投影部８の上面図を示す。図２（ａ）に示すように、フォーカス指標投影部８は、プリズム部２１ａ、２１ｂ及び２１ｃを有するフォーカススプリットプリズム２２、矩形状の開口部を有するフォーカス指標２３、及び、フォーカス指標照明用ＬＥＤ２４を有して構成されている。ここで、フォーカス指標照明用ＬＥＤ２４は、近赤外線を発光する。
【００１７】
ここで、図１の説明に戻る。
光軸Ｏ２上のフォーカス指標投影部８と光軸Ｏ３上のフォーカスレンズ１３は、フォーカスリンク機構２５により連結されており、それぞれ、光軸Ｏ２方向、光軸Ｏ３方向に連動して移動するようになっている。つまり、フォーカスリンク機構２５の駆動によって、フォーカス指標投影部８の図２に示すフォーカス指標２３と、画像記録用撮像素子１６が光学的に共役位置に配置されている。
【００１８】
ここで、フォーカスリンク機構２５は、フォーカス指標投影部８とフォーカスレンズ１３の連結を切る機構を有している。そのため、本実施形態においては、フォーカスリンク機構２５は、機械的なリンク機構ではなく、電子的なリンク機構である。この電子的なリンク機構は、フォーカス指標投影部８の光軸Ｏ２上の位置を知るための不図示の第１の位置センサ（Ｓｅｎｓｏｒ１）と、フォーカスレンズ１３の光軸Ｏ３上の位置を知るための不図示の第２の位置センサ（Ｓｅｎｓｏｒ２）を有し、かつ、フォーカス指標投影部８を光軸Ｏ２に沿って移動させるための不図示の第１の駆動装置（Ｄｒｉｖｅｒ１）と、フォーカスレンズ１３を光軸Ｏ３に沿って移動させるための不図示の第２の駆動装置（Ｄｒｉｖｅｒ２）を有している。
【００１９】
眼底カメラ１００は、フォーカス指標投影部８の図２に示すフォーカス指標２３と画像記録用撮像素子１６を光学的に共役位置に配置するための、フォーカス指標投影部８の位置とフォーカスレンズ１３の位置との位置関係を記憶している。フォーカス指標投影部８とフォーカスレンズ１３の連結を行う場合には、電子的制御により、フォーカス指標投影部８の図２に示すフォーカス指標２３と画像記録用撮像素子１６が光学的に共役位置に配置されるように、上述した第１の位置センサ（Ｓｅｎｓｏｒ１）と第２の位置センサ（Ｓｅｎｓｏｒ２）の値を読みとりながら、上述した第１の駆動装置（Ｄｒｉｖｅｒ１）と第２の駆動装置（Ｄｒｉｖｅｒ２）を制御する。
【００２０】
フォーカス指標投影部８とフォーカスレンズ１３の連結を切ると、フォーカス指標投影部８とフォーカスレンズ１３は、それぞれ独立にそれぞれの光軸上を移動することができる。眼底カメラ１００は、フォーカス指標投影部８の図２に示すフォーカス指標２３と画像記録用撮像素子１６を光学的に共役位置に配置するための、フォーカス指標投影部８の位置とフォーカスレンズ１３の位置との位置関係を記憶しているので、フォーカス指標投影部８とフォーカスレンズ１３の連結を切った後に、再び、連結を行うこともできる。
【００２１】
電子的なリンク機構は、機械的なリンク機構の場合と比較して、連結を切る／接続する、という動作が簡単である。そのため、フォーカスリンク機構２５は電子的なリンク機構である方が望ましい。また、電子的なリンク機構は、機械的なリンク機構の場合と比較して、小型化しやすいため、装置全体を小さくすることができるという効果もある。
【００２２】
図１において、画像記録用撮像素子１６の出力は画像処理部３１を介して、観察用撮像素子２０の出力は合焦検出部３２を介して、処理・制御部３０に接続されている。さらに、処理・制御部３０には、情報入力部３３、モニタ３４、フォーカスリンク機構２５を駆動するフォーカス駆動部３５、観察光源制御部３６、撮影光源制御部３７、撮影スイッチ３８、及び、記憶部３９が接続されている。処理・制御部３０は、適宜、モニタ３４に観察用撮像素子２０で取得された観察画像と、画像記録用撮像素子１６で取得された静止画像を表示する。
【００２３】
図１において、処理・制御部３０の出力は、観察用光源１には光量調整・点灯・消灯等の制御を行う観察光源制御部３６を介して、撮影用光源４には光量調整・点灯・消灯等の制御を行う撮影光源制御部３７を介して接続されている。ここで、情報入力部３３、モニタ３４、撮影スイッチ３８等以外の機器は、不図示の光学基台に搭載されており、眼底カメラ１００の光学ユニットが構成され、更に、光学ユニットはステージ部に載置されている。
【００２４】
眼底カメラ１００の使用時には、処理・制御部３０は、観察光源制御部３６を制御して観察用光源１を点灯する。観察用光源１から射出した光束は、コンデンサレンズ２で集光され、フィルタ３で可視光がカットされて赤外光のみが透過され、ストロボ等の撮影用光源４を透過する。撮影用光源４を透過した光束は、レンズ５、ミラー６及びリング絞り７を通ってリング光束とされた後に、リレーレンズ９、孔あきミラー１０により光軸Ｏ３方向に偏向され、対物レンズ１１を介して、被検眼Ｅの眼底Ｅｒを照明する。
【００２５】
本実施形態では、観察用光源１としてハロゲンランプを適用するが、近赤外光を発光する光源ならば、どのような光源であってもよい。また、被検眼Ｅが眩しさを感じない近赤外光を用いて観察することが重要であるため、近赤外光だけでなく可視光線も発光する光源の場合には、可視光カットフィルター３が必要である。近赤外光のみしか発光しない光源、例えば赤外ＬＥＤを観察用光源１として使う場合には、可視光カットフィルター３は不要である。
【００２６】
眼底Ｅｒに達した光束は、反射・散乱されて眼底反射像として被検眼Ｅから出射する。この光束は、対物レンズ１１、撮影絞り１２、フォーカスレンズ１３、撮影レンズ１４を通過した後に、跳ね上げミラー１５及びミラー１７で偏向され、フィールドレンズ１８、レンズ１９を介して、観察用撮像素子２０に結像する。そして、処理・制御部３０は、観察用撮像素子２０で得られた観察用の眼底画像をモニタ３４に表示する。
【００２７】
検者は、モニタ３４に表示された観察用の眼底画像を観察しながら、被検眼Ｅと光学ユニットとの位置合わせの微調整を行い、次いで、フォーカス調整を行い、撮影スイッチ３８を操作して撮影指示を行う。
【００２８】
ここで、再度、図２の説明を行う。
図２（ａ）において、フォーカス指標照明用ＬＥＤ２４から出射した光束は、フォーカススプリットプリズム２２のプリズム部２１ａにより光軸Ｏ２方向に偏向され、プリズム部２１ｂおよび２１ｃに達する。ここで、プリズム部２１ｂ及び２１ｃは、互いに対称な角度のプリズム面を有している。プリズム部２１ｂ及び２１ｃに達した光束は、図２（ｂ）に示すフォーカス指標２３の矩形状の開口部を通過し、それぞれ、光軸Ｏ２に対称な図２（ａ）に示す２つのフォーカス指標光束Ｌｂ及びＬｃが形成される。そして、フォーカス指標光束Ｌｂ及びＬｃは、リレーレンズ９、孔あきミラー１０及び対物レンズ１１を介して、被検眼Ｅに達する。
【００２９】
図３は、図２（ａ）に示すフォーカス指標光束Ｌｂにおける被検眼Ｅの瞳Ｅｐ上の位置Ｌｐ１と、図２（ａ）に示すフォーカス指標光束Ｌｃにおける被検眼Ｅの瞳Ｅｐ上の位置Ｌｐ２を示す図である。
【００３０】
図４は、図２（ａ）に示すフォーカス指標光束Ｌｂ及びＬｃが被検眼Ｅの眼底Ｅｒに達する様子と、図２（ａ）に示すフォーカス指標光束Ｌｂ及びＬｃによる被検眼Ｅの眼底Ｅｒ上のフォーカス指標像Ｆｂ及びＦｃの一例を示す図である。なお、図４（ａ）〜図４（ｃ）では、眼底画像上に表示されるフォーカス指標像投影領域４０も示している。
【００３１】
図４（ａ）は、図２（ａ）に示すフォーカス指標光束Ｌｂ及びＬｃが被検眼Ｅの眼底Ｅｒに合焦した状態を示している。この場合、被検眼Ｅの眼底Ｅｒとフォーカス指標２３とは、光学的に共役な位置関係にある。このように、被検眼Ｅの眼底Ｅｒとフォーカス指標２３とが光学的に共役なので、２つに分離されたフォーカス指標光束Ｌｂ及びＬｃは、瞳Ｅｐの異なる部位である複数の領域を経て、眼底Ｅｒ上でフォーカス指標２３の矩形状の開口部によるフォーカス指標像Ｆｂ及びＦｃとなり、一列に並ぶ。
【００３２】
図４（ｂ）は、図２（ａ）に示すフォーカス指標光束Ｌｂ及びＬｃが被検眼Ｅの眼底Ｅｒの手前側に合焦した状態を示している。この場合、被検眼Ｅの眼底Ｅｒとフォーカス指標２３とは光学的に共役関係ではないので、そのフォーカス指標光束Ｌｂ及びＬｃは、眼底Ｅｒ上で互いに上下方向にずれる。具体的に、フォーカス指標像Ｆｂが上方に、フォーカス指標像Ｆｃが下方にずれる。
【００３３】
図４（ｃ）は、図２（ａ）に示すフォーカス指標光束Ｌｂ及びＬｃが被検眼Ｅの眼底Ｅｒの奥側に合焦した状態を示している。この場合、被検眼Ｅの眼底Ｅｒとフォーカス指標２３とは光学的に共役関係ではないので、そのフォーカス指標光束Ｌｂ及びＬｃは、眼底Ｅｒ上で互いに上下方向にずれる。具体的に、フォーカス指標像Ｆｂが下方に、フォーカス指標像Ｆｃが上方にずれる。
【００３４】
スプリット方式のフォーカス指標を投影する機構を有する眼底カメラ１００のオートフォーカスは、フォーカス指標像Ｆｂ及びＦｃを検出し、フォーカス指標像Ｆｂ及びＦｃが一列に並ぶように、フォーカス指標投影部８を移動させる。この際、上述した第１の駆動装置（Ｄｒｉｖｅｒ１）を制御して、フォーカス指標投影部８を移動させる。
【００３５】
フォーカス指標投影部８が移動すると、フォーカスリンク機構２５により、フォーカスレンズ１３が連動して移動する。一列になったとき、被検眼Ｅの眼底Ｅｒとフォーカス指標２３は光学的に共役である。さらに、フォーカス指標投影部８のフォーカス指標２３と画像記録用撮像素子１６は光学的に共役であり、被検眼Ｅの眼底Ｅｒと画像記録用撮像素子１６は光学的に共役関係になり、眼底Ｅｒに焦点が合う。
【００３６】
被検眼Ｅの眼底Ｅｒの撮影を行う際には、撮影用光源４を発光させて、画像記録用撮像素子１６が静止画である眼底画像を生成し取得する。この眼底画像を取得する画像記録用撮像素子１６は、撮像手段を構成する。そして、画像記録用撮像素子１６で得られた眼底画像を画像処理部３１で画像処理し、画像処理後の眼底画像が、処理・制御部３０の制御に基づき、記憶部３９に所定の情報とともに記憶される。被検眼Ｅの眼底Ｅｒの撮影開始は、図１に示す撮影スイッチ３８が押下されたことが契機となる。
【００３７】
本実施形態では、撮影用光源４としてキセノン管を適用するが、可視光線を発光する光源ならば、どのような光源であってもよく、例えば、可視ＬＥＤであってもよい。また、図１に示す例では、可視光に感度を有する画像記録用撮像素子１６と赤外光に感度を有する観察用撮像素子２０との２つの撮像素子を用いている。しかしながら、可視光と赤外光の両方に感度を有する１つの撮像素子を設けるようにしてもよい。この場合、撮像素子は１６に配置するとよく、また、撮像素子が１つになるため、装置を小型化することができる。
【００３８】
次に、本発明の第１の実施形態に係る眼底カメラ１００の制御方法における処理手順について説明を行う。
【００３９】
図５は、本発明の第１の実施形態に係る眼底カメラ１００の制御方法における処理手順の一例を示すフローチャートである。また、図６は、図１に示す画像処理部３１の内部構成の一例を示す図である。図１に示す画像処理部３１は、図６に示すように、前処理部Ｃ１、色調変換処理部Ｃ２、及び、パラメータセット格納部Ｃ３を有して構成されている。以下、図５の説明においては、図６を参照しながら説明を行う。
【００４０】
まず、図５に示す「開始」は、図１に示す撮影スイッチ３８が検者により押下されたことを、処理・制御部３０が検知することが契機となる。ここで、撮影スイッチ３８とは、検者が撮影開始を眼底カメラ１００に指示するためのユーザインターフェイスである。図５に示すフローチャートの処理が開始されると、眼底カメラ１００は、撮影用光源４を発光させて、画像記録用撮像素子１６で眼底画像を取得し、取得した眼底画像を画像処理部３１へ入力する。ここでは、１回撮影により得られた１個の眼底画像が画像記録用撮像素子１６から画像処理部３１に入力される。
【００４１】
そして、図５のステップＳ１０１において、図６に示す画像処理部３１の前処理部Ｃ１は、画像記録用撮像素子１６から入力された眼底画像に対して所定の前処理を行う。ここで、前処理部Ｃ１による所定の前処理は、色調変換処理部Ｃ２による色調変換処理の前段で実行される処理であり、例えば、画像記録用撮像素子１６の特性補正処理や、レンズ歪みの補正処理、レンズの周辺光量落ちの補正処理、ノイズ低減処理等である。そして、前処理部Ｃ１で処理された眼底画像は、色調変換処理部Ｃ２に入力される。その後、ステップＳ１０２に進む。
【００４２】
図５のステップＳ１０２の処理を説明する前に、パラメータセット格納部Ｃ３に格納されている色調変換処理パラメータセットについて説明する。
【００４３】
本実施形態においては、パラメータセット格納部Ｃ３には、複数種類の異なる色調変換処理を行うための複数の色調変換処理パラメータセットが格納されている。ここで色調変換処理とは、画像の赤、緑、青のチャンネルを各々所定の補正値で色調を変換したり、ガンマカーブをかけて各チャンネルの輝度を変更したりする処理のことである。また、色調変換処理パラメータセットとは、色調変換処理に関する複数のパラメータの組である。通常、色調変換処理に関するパラメータは２個以上であり、これらの複数個のパラメータの個々の数値を１つの組にしたものが、色調変換処理パラメータセットである。なお、本発明においては、色調変換処理パラメータセットを構成するパラメータは１個であっても適用可能である。
【００４４】
一般的に、被検眼Ｅの眼底Ｅｒにおける生体組織の光の反射率及び吸収率の特性は、被検眼Ｅごとに異なることが知られており、かつ、人種ごとに大きく異なることが知られている。そのため、同じ撮影光を被検眼Ｅへ照射しても、例えば人種が異なると色味（色調）が大きく異なる眼底画像となる。そして、色調が大きく異なると、適切な診断が困難になる。即ち、診断用の眼底画像としては、どのような被検眼Ｅであっても、大体似たような色調の画像である方が診断しやすい。このため、本実施形態では、パラメータセット格納部Ｃ３に複数の色調変換処理パラメータセットを格納し、色調変換処理部Ｃ２において複数の異なる色調変換処理を行えるようにしている。
【００４５】
ここで、本実施形態においては、パラメータセット格納部Ｃ３に格納されている色調変換処理パラメータセットの数は、２個以上とする。なお、より好適には、パラメータセット格納部Ｃ３に格納されている色調変換処理パラメータセットの数は、３個以上である。その理由を以下に説明する。
人種ごとに診断に好適な色調が存在していることが経験的に知られており、かつ、人種ごとに１つ乃至２つの好適な色調が存在するため、色調変換処理パラメータセットの数は、１個では少なく、人種を考慮すると３個以上が好適と考えられる。
【００４６】
ここで、図５の説明に戻る。
図５のステップＳ１０２に進むと、図６に示す画像処理部３１の色調変換処理部Ｃ２は、まず、パラメータセット格納部Ｃ３に格納されている複数の色調変換処理パラメータセットを読み出す。そして、色調変換処理部Ｃ２は、１回撮影により得られた１個の眼底画像に対して、パラメータセット格納部Ｃ３から読み出した複数の色調変換処理パラメータセットにおける各色調変換処理パラメータセットを用いた色調変換処理を行って、複数の色調変換処理パラメータセットに対応する複数の色調変換済眼底画像を生成する。一般化すると、図６に示すように、色調変換処理部Ｃ２は、１回撮影により得られた１個の眼底画像に対して、Ｎ個（本実施形態においては、Ｎは２以上の正数。上述したより好適な例としては、Ｎは３以上の正数。以下、同様とする。）の色調変換処理パラメータセットを用いた色調変換処理を行って、Ｎ個の色調変換済眼底画像を生成する。
【００４７】
続いて、図５のステップＳ１０３において、図１の処理・制御部３０は、ステップＳ１０３で生成された複数（Ｎ個）の色調変換済眼底画像を、表示部であるモニタ３４に一覧表示する表示制御を行う。この表示制御を行う処理・制御部３０は、表示制御手段を構成する。その後、図５に示すフローチャートの処理を終了する。
【００４８】
図５に示すフローチャートの処理では、撮影開始のトリガーが発生後、検者は何らの操作を行うことなく、Ｎ個の色調変換済眼底画像をモニタ３４に一覧表示することができる。これにより、検者の操作の手間を軽減することができる。
【００４９】
図７は、図１のモニタ３４に一覧表示された複数の色調変換済眼底画像の一例を示す図である。
【００５０】
図７（ａ）は、色調変換済眼底画像が生成された順番に、左から、色調変換済眼底画像１、色調変換済眼底画像２、色調変換済眼底画像３、…、のように複数の色調変換済眼底画像が一覧表示された様子を示している。本実施形態では、図７（ａ）の最も左側が一覧表示の先頭である。なお、生成した全ての色調変換済眼底画像をモニタ３４に一度に一覧表示できない場合には、スクロールやページ送り等のユーザインターフェイスを用いることにより、色調変換済眼底画像を少数ずつ一覧表示できるように構成されている。
【００５１】
本実施形態では、Ｎ個の色調変換済眼底画像のうちの少なくとも１つの色調変換済眼底画像は、患者の被検眼にふさわしい、診断に好適な色調の眼底画像となる。即ち、本実施形態によれば、１回撮影により得られた１個の眼底画像に対して、Ｎ個の色調変換処理パラメータセットを用いた色調変換処理を行ってＮ個の色調変換済眼底画像を生成するようにしたので、診断に好適な色調の眼底画像を取得することが可能となる。
【００５２】
図７（ｂ）は、図７（ａ）のモニタ３４に一覧表示された複数の色調変換済眼底画像の中から、検者が、診断に好適な色調の眼底画像と判断した一部の色調変換済眼底画像を、選択手段を介して選択した後の一覧表示の様子を示している。具体的に、図７（ｂ）に示す例では、色調変換済眼底画像３と色調変換済眼底画像５が、診断に好適な色調の眼底画像として選択されて、一覧表示の先頭に表示されるように、画像の表示順序が並び変えられた様子が示されている。
【００５３】
ここで、本実施形態においては、上述の選択手段としては、モニタ３４の表面に形成されたタッチパネル等を含む情報入力部３３を適用することができる。ここで、図７（ｂ）の処理を、眼底カメラ１００の構成を用いて以下に説明する。
処理・制御部３０は、図７（ａ）のモニタ３４に一覧表示された複数の色調変換済眼底画像の中から一部の色調変換済眼底画像（色調変換済眼底画像３と色調変換済眼底画像５）が情報入力部３３により選択されると、これを検知する。そして、処理・制御部３０は、図７（ａ）のモニタ３４に一覧表示した色調変換済眼底画像を並び替えて、図７（ｂ）に示すように、選択された一部の色調変換済眼底画像（色調変換済眼底画像３と色調変換済眼底画像５）を一覧表示の先頭に表示する制御を行う。
【００５４】
また、本実施形態では、以下の処理を行う態様も適用可能である。
具体的に、処理・制御部３０は、色調変換処理部Ｃ２において、Ｎ個の色調変換済眼底画像が生成されると、これを記憶部３９に記憶する記憶制御を行う。その後、処理・制御部３０は、図７（ａ）のモニタ３４に一覧表示された複数の色調変換済眼底画像の中から一部の色調変換済眼底画像（色調変換済眼底画像３と色調変換済眼底画像５）が情報入力部３３により選択されると、これを検知する。そして、処理・制御部３０は、記憶部３９から、選択された一部の色調変換済眼底画像（色調変換済眼底画像３と色調変換済眼底画像５）を除く他の色調変換済眼底画像を削除する制御を行う。
【００５５】
また、本実施形態によれば、１回の撮影で診断に好適な色調の眼底画像を得ることができるため、診断に好適な色調の眼底画像が得られなかったという理由で再撮影を行うことを回避することができる。即ち、本実施形態は、再撮影の頻度を少なくすることに貢献する。そして、本実施形態によれば、再撮影の頻度を少なくすることができるため、検査時間が長くなることを回避することができ、また、再撮影のために患者に余計な撮影光を照射することもなくなって患者の負担も減るという作用・効果を奏する。
【００５６】
さらに、従来の技術では、検者は、患者を待たせながら好適な色調変換処理を選択する必要があったので、検者がその操作に煩わしさを感じることも想定される。この点、本実施形態によれば、検者は、撮影前に慌ただしく色調変換処理を選択する必要が一切なくなるため、検者は撮影操作に集中することができる。本発明は、好適な色調変換がめまぐるしく変わる場合、例えば、様々な人種の患者がランダムに検査に到来する場合に、特に有効である。
【００５７】
本実施形態に係る眼底カメラ１００は、例えば特開平９−３０８６１０号公報に記載されているような無散瞳型眼底カメラを想定しているが、本発明においてはこれに限定されるものではない。例えば、本実施形態に係る眼底カメラ１００として、散瞳型の眼底カメラを適用することも可能であり、また、例えば特開平９−６６０３０号公報に記載されているような散瞳・無散瞳一体型の眼底カメラを適用することも可能である。
【００５８】
また、本実施形態に係る眼底カメラ１００は、オートフォーカス機能を搭載した眼底カメラを想定しているが、本発明においてはこれに限定されるものではない。例えば、本実施形態に係る眼底カメラ１００として、オートフォーカス機能を搭載しておらず、マニュアルフォーカス機能を搭載した眼底カメラを適用することも可能である。さらに、本実施形態に係る眼底カメラ１００は、ＯＣＴ（Ｏｐｔｉｃａｌ  Ｃｏｈｅｒｅｎｃｅ  Ｔｏｍｏｇｒａｐｈｙ）やＡＯ−ＳＬＯ（Ａｄａｐｔｉｖｅ  Ｏｐｔｉｃｓ  −  Ｓｃａｎｎｉｎｇ  Ｌａｓｅｒ  Ｏｐｈｔｈａｌｍｏｓｃｏｐｅ）等の他の撮像装置と一体に構成されてもよい。
【００５９】
（第２の実施形態）
次に、本発明の第２の実施形態について説明する。なお、以下の第２の実施形態の説明については、上述した第１の実施形態と異なる部分についてのみ説明を行う。
【００６０】
第２の実施形態に係る眼底カメラは、図１に示す第１の実施形態に係る眼底カメラ１００と同様の構成であるが、被検眼Ｅ（患者）を特定する機能を更に有するものである。
【００６１】
第２の実施形態に係る眼底カメラ１００では、検査に際して、例えば過去に検査を行った患者の患者ＩＤ等を記憶部３９に予め記憶しておき、処理・制御部３０は、例えば情報入力部３３から入力された当該患者ＩＤ等に基づき被検眼Ｅ（患者）を特定する。この被検眼Ｅ（患者）を特定する処理を行う処理・制御部３０は、特定手段を構成する。
【００６２】
次に、本発明の第２の実施形態に係る眼底カメラ１００の制御方法における処理手順について説明を行う。
【００６３】
図８及び図９は、本発明の第２の実施形態に係る眼底カメラ１００の制御方法における処理手順の一例を示すフローチャートである。具体的に、図８は、初診（１回目の検査）の際の眼底カメラ１００の制御方法における処理手順を示し、図９は、経過観察等で再診（２回目以降の検査）の際の眼底カメラ１００の制御方法における処理手順を示す。本実施形態では、上述したように、被検眼Ｅ（患者）を特定する機能があるため、当該特定の結果に基づき１回目か２回目以降かを判断して、図８に示すフローチャートの処理と図９に示すフローチャートの処理を切り替える。
【００６４】
まず、図８を用いて、初診（１回目の検査）の際の眼底カメラ１００の制御方法における処理手順を説明する。
【００６５】
図８に示す「開始」は、第１の実施形態と同様に、図１に示す撮影スイッチ３８が検者により押下されたことを、処理・制御部３０が検知することが契機となる。そして、図８に示すフローチャートの処理が開始されると、眼底カメラ１００は、撮影用光源４を発光させて、画像記録用撮像素子１６で眼底画像を取得し、取得した眼底画像を画像処理部３１へ入力する。ここでは、１回撮影により得られた１個の眼底画像が画像記録用撮像素子１６から画像処理部３１に入力される。
【００６６】
そして、図８のステップＳ２０１において、図６に示す画像処理部３１の前処理部Ｃ１は、画像記録用撮像素子１６から入力された眼底画像に対して所定の前処理を行う。この前処理における具体的な処理は、図５のステップＳ１０１で説明したものと同様である。
【００６７】
続いて、図８のステップＳ２０２において、図６に示す画像処理部３１の色調変換処理部Ｃ２は、まず、パラメータセット格納部Ｃ３に格納されているＮ個の色調変換処理パラメータセットを読み出す。そして、色調変換処理部Ｃ２は、入力された眼底画像に対して、Ｎ個の色調変換処理パラメータセットにおける各色調変換処理パラメータセットを用いた色調変換処理を行って、Ｎ個の色調変換処理パラメータセットに対応するＮ個の色調変換済眼底画像を生成する。その後、図１の処理・制御部３０は、色調変換処理部Ｃ２で生成されたＮ個の色調変換済眼底画像における各色調変換済眼底画像と、それに対応する色調変換処理パラメータセットとを関連付けて記憶部３９に記憶する制御を行う。ここで、関連付けて記憶する例としては、生成された色調変換済眼底画像のファイルのヘッダに、使用した色調変換処理パラメータセットを埋め込むという方法が考えられる。この方法の場合、生成された色調変換済眼底画像のヘッダを参照すれば、対応する色調変換処理パラメータセットを把握することが可能となる。
【００６８】
続いて、図８のステップＳ２０３において、図１の処理・制御部３０は、ステップＳ２０３で生成されたＮ個の色調変換済眼底画像を、表示部であるモニタ３４に一覧表示する表示制御を行う。この表示制御を行う処理・制御部３０は、表示制御手段を構成する。
【００６９】
続いて、図８のステップＳ２０４において、図１の処理・制御部３０は、情報入力部３３からの情報に基づいて、モニタ３４に一覧表示したＮ個の色調変換済眼底画像の中から選択された画像があるか否かを判断する。この判断の結果、選択された画像がない場合には（Ｓ２０４／Ｎｏ）、図８のフローチャートの処理を終了する。
【００７０】
一方、図８のステップＳ２０４の判断の結果、第１の実施形態において図７（ｂ）を用いて説明したように、選択された画像がある場合には（Ｓ２０４／Ｙｅｓ）、図８のステップＳ２０５に進む。
【００７１】
図８のステップＳ２０５に進むと、図１の処理・制御部３０は、第１の実施形態において図７（ｂ）を用いて説明したように、選択されたＭ個（Ｍは１以上の正数）の色調変換済眼底画像を一覧表示の先頭に表示する表示制御を行う。その後、図１の処理・制御部３０は、当該Ｍ個の色調変換済眼底画像に対応するＭ個の色調変換処理パラメータセットと患者ＩＤとを関連付けて記憶部３９に記憶する記憶制御を行う。
その後、図８のフローチャートの処理を終了する。
【００７２】
次に、図９を用いて、経過観察等で再診（２回目以降の検査）の際の眼底カメラ１００の制御方法における処理手順を説明する。
【００７３】
図９に示す「開始」は、例えば情報入力部３３から入力された患者ＩＤに基づき再診の被検眼Ｅ（患者）であることが特定され、その後、図１に示す撮影スイッチ３８が検者により押下されたことを、処理・制御部３０が検知することが契機となる。そして、図９に示すフローチャートの処理が開始されると、眼底カメラ１００は、撮影用光源４を発光させて、画像記録用撮像素子１６で眼底画像を取得し、取得した眼底画像を画像処理部３１へ入力する。ここでは、１回撮影により得られた１個の眼底画像が画像記録用撮像素子１６から画像処理部３１に入力される。
【００７４】
そして、図９のステップＳ２１１において、図６に示す画像処理部３１の前処理部Ｃ１は、画像記録用撮像素子１６から入力された眼底画像に対して所定の前処理を行う。この前処理における具体的な処理は、図５のステップＳ１０１で説明したものと同様である。
【００７５】
続いて、図９のステップＳ２１２において、図６に示す画像処理部３１の色調変換処理部Ｃ２は、まず、処理・制御部３０の制御に基づいて、パラメータセット格納部Ｃ３から、当該被検眼Ｅにおいて、図８に示す１回目の検査（前回撮影）で選択されたＭ個の色調変換済眼底画像に対応するＭ個の色調変換処理パラメータセットを読み出す。そして、色調変換処理部Ｃ２は、入力された眼底画像に対して、Ｍ個の色調変換処理パラメータセットにおける各色調変換処理パラメータセットを用いた色調変換処理を行って、Ｍ個の色調変換処理パラメータセットに対応するＭ個の色調変換済眼底画像を生成する。仮に、図８に示す１回目の検査（前回撮影）で選択された色調変換済眼底画像がない場合には、Ｍ＝Ｎとみなして処理をする。
【００７６】
続いて、図９のステップＳ２１３において、図１の処理・制御部３０は、ステップＳ２１３で生成されたＭ個の色調変換済眼底画像を、表示部であるモニタ３４に一覧表示する表示制御を行う。この表示制御を行う処理・制御部３０は、表示制御手段を構成する。その後、図９に示すフローチャートの処理を終了する。
【００７７】
図８及び図９の処理を以下に概説する。
図８に示す前回撮影に係るステップＳ２０２では、図１の処理・制御部３０は、色調変換処理部Ｃ２で生成されたＮ個の色調変換済眼底画像における各色調変換済眼底画像を、対応するＮ個の色調変換処理パラメータセットにおける各色調変換処理パラメータセットと関連付けて記憶部３９に記憶している。
その後、図９に示す今回撮影では、被検眼Ｅ（患者）を特定し、図８に示す前回撮影に係る被検眼Ｅ（患者）と同じである場合、図９に示すフローチャートの処理を行う。具体的に、図９のステップＳ２１２では、図６に示す画像処理部３１の色調変換処理部Ｃ２は、今回撮影された当該被検眼Ｅに係る今回眼底画像に対して、図８に示す前回撮影においてステップＳ２０４で選択されたＭ個の色調変換済眼底画像に関連付けられて記憶されているＭ個の色調変換処理パラメータセットを用いた色調変換処理を行って、当該Ｍ個の色調変換処理パラメータセットに対応するＭ個の今回色調変換済眼底画像を生成している。その後、図９のステップＳ２１３では、図１の処理・制御部３０は、Ｍ個の今回色調変換済眼底画像を表示部であるモニタ３４に一覧表示する制御を行っている。
【００７８】
図８及び図９の処理によれば、今回撮影においては、前回撮影で診断に好適な色調であると判断された色調変換処理パラメータセットに基づく眼底画像のみを生成するため、第１の実施形態と比較して、眼底画像を保存するための保存容量を少なくできる。また、検者は、第１の実施形態と同様に、撮影前に慌ただしく色調変換処理を選択する必要はなく、撮影後に、ゆっくりとＮ個の眼底画像の中から診断に好適な色調の眼底画像を選ぶことができる。そのため、撮影前の検者の操作の煩わしさを改善することができる。
【００７９】
図８及び図９では、上述した処理を行っているが、本実施形態においてはこの態様に限定されるものではなく、以下に示す態様を適用することも可能である。
まず、図８に示す前回撮影に係るステップＳ２０２と同様に、図１の処理・制御部３０は、色調変換処理部Ｃ２で生成されたＮ個の色調変換済眼底画像における各色調変換済眼底画像を、対応するＮ個の色調変換処理パラメータセットにおける各色調変換処理パラメータセットと関連付けて記憶部３９に記憶する。
その後、図９に示す今回撮影では、被検眼Ｅ（患者）を特定し、図８に示す前回撮影に係る被検眼Ｅ（患者）と同じである場合、以下の処理を行う。具体的に、図６に示す画像処理部３１の色調変換処理部Ｃ２は、今回撮影された当該被検眼Ｅに係る今回眼底画像に対して、パラメータセット格納部Ｃ３に格納されているＮ個の色調変換処理パラメータセットを用いた色調変換処理を行って、当該Ｎ個の色調変換処理パラメータセットに対応するＮ個の今回色調変換済眼底画像を生成する。その後、図１の処理・制御部３０は、Ｎ個の今回色調変換済眼底画像を表示部であるモニタ３４に一覧表示する際に、図８に示す前回撮影においてステップＳ２０４で選択されたＭ個の色調変換済眼底画像に関連付けられて記憶されているＭ個の色調変換処理パラメータセットを用いて色調変換処理されたＭ個の今回色調変換済眼底画像を当該一覧表示の先頭に表示する制御を行う態様である。
【００８０】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００８１】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【００８２】
１  観察用光源、２  コンデンサレンズ、３  フィルタ、４  撮影用光源、５  レンズ、６  ミラー、７  リング絞り、８  フォーカス指標投影部、９  リレーレンズ、１０  孔あきミラー、１１  対物レンズ、１２  撮影絞り、１３  フォーカスレンズ、１４  撮影レンズ、１５  跳ね上げミラー、１６  画像記録用撮像素子、１７  ミラー、１８  フィールドレンズ、１９  レンズ、２０  観察用撮像素子、３０  処理・制御部、３１  画像処理部、３２  合焦検出部、３３  情報入力部、３４  モニタ、３５  フォーカス駆動部、３６  観察光源制御部、３７  撮影光源制御部、３８  撮影スイッチ、３９  記憶部、１００  眼底カメラ、Ｅ  被検眼、Ｅｐ  瞳、Ｅｒ  眼底
【図１】
2016214370.tif 000003
【図５】
2016214370.tif 000004
【図６】
2016214370.tif 000005
【図７】
2016214370.tif 000006
【図８】
2016214370.tif 000007
【図９】
2016214370.tif 000008
【図２】
2016214370.tif 000009
【図３】
2016214370.tif 000010
【図４】
2016214370.tif 000011